(57)【要約】【課題】高解像度及び高速読取りが可能で且つ安価なカラー画像読取装置を提供する。【解決手段】第１のラインセンサ５０Ｂは青成分ｂを検知し、第１の解像度（３００ｄｐｉ）を有する。第２のラインセンサ５０Ｒは赤成分ｒを検知し、前記第１の解像度を有する。第３のラインセンサ５０Ｙは輝度成分Ｙを検知し、前記第１の解像度より高い第２の解像度（６００ｄｐｉ）を有する。解像度変換部２２は、アンプ２０で増幅された青及び赤成分Ｂ’、Ｒ’の解像度を、それぞれ前記第２の解像度に変換する。加算器２６は、反転アンプ２４、２５により反転された赤及び青成分−Ｒ、−Ｂと輝度成分Ｙとを加算して、前記第２の解像度を有する緑成分Ｇを生成する。【選択図】    図３
2005027092.tif 000002
【特許請求の範囲】
【請求項１】
第１の解像度を有し、赤、青、緑のうち１つの色成分を第１の色成分として検知する第１のラインセンサと、
前記第１の解像度を有し、赤、青、緑のうち、第１のラインセンサとは異なる１つの色成分を第２の色成分として検知する第２のラインセンサと、
前記第１の解像度より高い第２の解像度を有し、輝度成分を検知する第３のラインセンサと、
前記第１及び第２のラインセンサにより検知された第１及び第２の色成分及び前記第３のラインセンサにより検知された輝度成分に基づいて、赤、青、緑のうち、前記第１及び第２の色成分とは異なる第３の色成分を生成する生成手段と、を具備することを特徴とする画像読取り装置。
【請求項２】
前記生成手段は、前記第１及び第２のラインセンサにより検知された前記第１及び第２の色成分の解像度を、それぞれ前記第２の解像度に変換する解像度変換手段を含み、前記解像度変換手段により変換された第１及び第２の色成分と、前記第３のラインセンサにより検知された輝度成分とを合成することにより、前記第２の解像度を有する前記第３の色成分を生成することを有することを特徴とする請求項１記載の画像読取装置。
【請求項３】
前記生成手段は、前記解像度変換手段により変換された前記第１及び第２の色成分を互いに加算し、該加算した成分を前記輝度成分から減算することにより前記第３の色成分を生成することを特徴とする請求項２記載の画像読取装置。
【請求項４】
第１の解像度を有し、赤、青、緑のうち１つの色成分を第１の色成分として検知する第１のラインセンサと、
前記第１の解像度を有し、赤、青、緑のうち、第１のラインセンサとは異なる１つの色成分を第２の色成分として検知する第２のラインセンサと、
前記第１の解像度より高い第２の解像度を有し、輝度成分を検知する第３のラインセンサと、
前記第１及び第２のラインセンサにより検知された前記第１及び第２の色成分と、前記第３のラインセンサにより検知された輝度成分に基づいて、赤、青、緑のうち、第１及び第２のラインセンサとは異なる第３の色成分を生成する第１の色成分生成手段と、
前記第１及び第２のラインセンサと前記色成分生成手段により提供される赤、青、緑の色成分に基づいて、色差成分を生成する色差成分生成手段と、
前記第３のラインセンサから提供される前記輝度成分と、前記色差成分生成手段から提供される前記色差成分とから、赤、青、緑の色成分を生成する第２の色成分生成手段と、
を具備することを特徴とする画像読取り装置。
【請求項５】
前記第１の色成分生成手段は、前記第３のラインセンサにより検知された前記輝度成分の解像度を、前記第１の解像度に変換する第１の解像度変換手段を含み、該第１の解像度変換手段により変換された輝度成分と、前記第１及び第２のラインセンサにより検知された前記第１及び第２の色成分とを合成することにより前記第３の色成分を生成し、
前記第２の色成分生成手段は、前記色差成分生成手段により生成される色差成分の解像度を前記第２の解像度に変換する第２の解像度変換手段を含み、前記第３のラインセンサから提供される前記輝度成分と、前記第２の解像度変換手段により解像度変換された色差成分とから、前記第２の解像度を有する赤、青、緑の色成分を生成することを特徴とする請求項４記載の画像読取装置。
【請求項６】
第１の解像度を有し、赤、青、緑のうち１つの色成分を検知する第１のラインセンサと、
前記第１の解像度を有し、赤、青、緑のうち、第１のラインセンサとは異なる１つの色成分を検知する第２のラインセンサと、
前記第１の解像度より高い第２の解像度を有し、輝度成分を検知する第３のラインセンサと、
を具備することを特徴とするＣＣＤラインセンサ。
【発明の詳細な説明】
【０００１】
【発明の属する技術分野】
本発明はカラー原稿の画像を読取る画像読取装置に関する。
【０００２】
【従来の技術】
従来のカラー画像読取り用のＣＣＤラインセンサとしては、以下に示すようなラインセンサが知られている。
【０００３】
従来例１．赤、緑、青成分読取用の３ラインからなる３ラインＣＣＤセンサ。
【０００４】
従来例２．輝度用に１ライン、カラー用として赤、緑、青の３ラインの計４ラインからなる４ラインＣＣＤセンサ。
【０００５】
従来例３．輝度用に１ライン、カラー用に赤及び緑、又は赤及び青、又は緑及び青の２ラインの計３ラインからなる３ラインＣＣＤセンサ。この技術の例として下記特許文献１が挙げられる。
【０００６】
【特許文献１】
特開平１１−１４６１５８号公報
【０００７】
【発明が解決しようとする課題】
従来例１の３ラインＣＣＤセンサの場合、赤、緑、青成分をそれぞれ専用に読取るラインセンサから構成されており、カラー画像読取りに特化している。赤成分（Ｒ）の読み取りには赤のフィルター、緑成分（Ｇ）の読取には緑のフィルター、青成分（Ｂ）の読取には青のフィルターが、それぞれのラインセンサに設けられている。モノクロ読取りの際には、ＲＧＢそれぞれのラインセンサから出力されるカラー画像信号からモノクロ画像を生成しているため、読取り速度に関しては、基本的にはモノクロ読取りでもカラー読取りでも同一である。
【０００８】
これを解決する手段として、従来例２のように４ラインＣＣＤが登場した。しかし、この４ラインＣＣＤは、モノクロ用のＣＣＤラインセンサとカラー用の３ラインＣＣＤセンサを単に合体したものである。モノクロ読取りでは、カラーフィルターが無いモノクロ用のラインセンサからの出力信号を使用するため、高速に読取ることが可能である。しかし、カラー読取りに関しては、カラーフィルターの影響により、１画素当たりの光量がモノクロ用のＣＣＤラインセンサより低下することから、従来例１の３ラインＣＣＤセンサと同等の読取り速度しか得ることが出来なかった。
【０００９】
又、従来例３の３ラインＣＣＤセンサに関しても、従来例２の４ラインＣＣＤセンサ同様、モノクロの読取り速度は高速化可能であるが、カラー読取りに関しては、従来例１の３ラインＣＣＤセンサと同等の読取り速度しか得ることが出来ない。更に、カラー読取り時には、不足している１色分の色成分を演算により生成する必要があった。
【００１０】
本発明は、高解像度及び高速読取りが可能で且つ安価なカラー画像読取装置を提供することを目的とする。
【００１１】
【課題を解決するための手段】
上記目的を達成するために本発明の一実施形態に係る画像読取り装置は、第１の解像度を有し、赤、青、緑のうち１つの色成分を第１の色成分として検知する第１のラインセンサと、前記第１の解像度を有し、赤、青、緑のうち、第１のラインセンサとは異なる１つの色成分を第２の色成分として検知する第２のラインセンサと、前記第１の解像度より高い第２の解像度を有し、輝度成分を検知する第３のラインセンサと、前記第１及び第２のラインセンサにより検知された第１及び第２の色成分及び前記第３のラインセンサにより検知された輝度成分に基づいて、赤、青、緑のうち、前記第１及び第２の色成分とは異なる第３の色成分を生成する生成手段とを具備する。
【００１２】
【発明の実施の形態】
図面を参照しながら本発明の実施の形態について詳細に説明する。
【００１３】
図１は本発明に係るＣＣＤラインセンサ６を用いた画像読取装置１の構成を示す。画像読取装置１は解像度に応じた走査ライン間隔で原稿の画像情報を読み取る装置である。
【００１４】
原稿Ｄは原稿台ガラス２上に画像面を下向きにして置かれる。スタート釦（図示せず）が押されると、キセノン光源や冷陰極管、ハロゲンランプ等を用いた光源１１が点灯し、そのときの照射光が原稿ガラス２を透過し、原稿Ｄの読み取り位置Ｘに照射される。原稿Ｄの読み取り位置Ｘからの反射光が第１ミラー１２で反射し、第１ミラー１２からの反射光が第２ミラー４１、第３ミラー４２に照射される。第２ミラー４１と第３ミラー４２で反射した原稿からの反射光は集光レンズ５に入射し、ＣＣＤラインセンサ６の受光面で結像する。ＣＣＤラインセンサ６は原稿Ｄを主走査方向に走査する。ＣＣＤ基板７は前記ＣＣＤラインセンサ６の他に、ＣＣＤラインセンサ６を駆動するＣＣＤドライバが実装されている。処理基板８にはＣＣＤラインセンサ６から出力される画像信号を処理する電気回路及び画像読取装置１を総合的に制御するＣＰＵ等の処理回路（後述されるスキャナ制御部４０）が実装されている。ＣＣＤ基板７と処理基板（スキャナ制御部）４０はハーネス９により接続されている。
【００１５】
原稿Ｄを読み取る場合は、光源１１と第１ミラー１２で構成する第１キャリジ１３と、第２ミラー４１と第３ミラー４２で構成する第２キャリジ４を、図中の矢印の方向に図示しない駆動モータ及びベルト又はワイヤ等から構成される駆動系により移動する。これにより、読み取り位置Ｘが図中の左から右に移動して、原稿Ｄは副走査方向に走査される。このとき、第１キャリジ１３の移動速度を２Ｖ、第２キャリジ４の移動速度をＶというように、第１キャリジ１３の移動速度は第２キャリジ４の２倍の移動速度である。
【００１６】
図２は画像読取装置１の制御系の構成を示すブロック図である。この画像読取装置１はスキャナ制御部４０及びコントロールパネル部８０を含む。
スキャナ制御部４０は、ＣＰＵ１００、ＲＯＭ１０１、ＲＡＭ１０２、ＣＣＤドライバ１０３、スキャナモータドライバ１０４、画像処理部１０５、光源１２を制御する光源制御部１０６、原稿自動検知部１０７を含んでいる。
【００１７】
ＣＰＵ１００はＲＯＭ１０１に記憶された制御プログラムに従って、スキャナ制御部４０を全体的に制御し、ＲＡＭ１０２をデータの一時記憶用に用いる。ＣＣＤドライバ１０３はＣＣＤラインセンサ６に各種ＣＣＤ制御信号を送信し、ＣＣＤラインセンサ６を駆動する。スキャナモータドライバ１０４は第１及び第２のキャリッジ３及び４等を移動する駆動モータの回転を制御する。原稿自動検出部１０７によって原稿台ガラス２上に置かれた原稿が、カラー原稿であるかモノクロ原稿であるか及び原稿サイズを自動検知される。
【００１８】
画像処理部１０５はＣＣＤラインセンサ６からのアナログ信号をディジタル信号に変換するＡ／Ｄ変換回路と周囲の温度変化などに起因するＣＣＤラインセンサ６からの出力信号に対するスレッショルドレベルの変動を補正するためのシェーディング補正回路やガンマ補正回路を含む。又画像処理部１０５はこれら補正回路からの補正されたディジタル信号を一旦記憶するラインメモリを含む。更に画像処理部１０５は補正された画像データに対して、トリミング、マスキング、拡大／縮小処理、解像度変換、画像の圧縮／非圧縮処理等の画像処理を行う。
【００１９】
コントロールパネル部８０はキーパッド８２、パネルＣＰＵ８３、液晶表示部８４、コントロールパネル用Ｉ／Ｆ８５を含む。パネルＣＰＵ８３はコントロールパネルＩ／Ｆ８５を介してＣＰＵ１００と通信を行う。液晶表示部８４には原稿読取り条件の設定画面等が表示され、パネルＣＰＵ８３はキーパッド８２を介してユーザからキー入力される原稿読取り条件に関するデータを受信し、該キー入力データをスキャナ制御部４０に転送すると共に液晶表示部８４に表示する。この原稿読取り条件には原稿をカラー原稿として読取るか、あるいはモノクロ原稿として読取るかの情報、及び解像度の情報等が含まれる。
【００２０】
次に、本発明の第１の実施形態に係る画像読取装置について詳細に説明する。
【００２１】
本実施形態による画像読取装置に用いられるＣＣＤラインセンサは、従来のように赤、緑、青の３ラインではなく、赤及び緑、赤及び青、又は緑及び青の２ラインのラインセンサと、輝度信号用１ラインのラインセンサの３ラインを用いて構成される。
【００２２】
同時に、輝度用１ラインのみ高解像度（例えば６００ｄｐｉ）で、赤及び緑、赤及び青、又は緑及び青の２ラインは共に低解像度（例えば３００ｄｐｉ）のラインセンサで構成する。
【００２３】
加色混合の場合、理想的には輝度信号（Ｙ）と、赤成分（Ｒ）、緑成分（Ｇ）、青成分（Ｂ）の間には以下の関係が成立する。
【００２４】
Ｙ＝Ｒ＋Ｇ＋Ｂ                            （式１）
従って、例えば赤及び青のラインセンサ、及び輝度用ラインセンサの３ラインＣＣＤラインセンサを用いた場合、不足している緑成分（Ｇ）の信号は、以下のように算出できる。
【００２５】
Ｇ＝Ｙ−（Ｒ＋Ｂ）                        （式２）
しかしながら、実際には、それぞれのＣＣＤラインセンサからの出力は理想的ではないため、次式のようにそれぞれのＣＣＤラインセンサからの出力レベルに応じて、適正に決められた係数（α、β、γ）を各成分に掛ける必要がある。
【００２６】
Ｇ＝γＹ−（αＲ＋βＢ）                  （式３）
図３は本実施形態に係る画像読取り部の概略構成図、図４はその動作を示すタイミングチャートである。ＣＣＤラインセンサ６としては、赤及び青のラインセンサ、及び輝度用ラインセンサの３ラインＣＣＤラインセンサが用いられる。前述したように、赤及び青のラインセンサの代わりに、赤及び緑、又は緑及び青のラインセンサを使用しても良い。
【００２７】
輝度用のＣＣＤラインセンサ５０Ｙからは解像度６００ｄｐｉの輝度信号（ｙｅ：偶数画素，ｙｏ：奇数画素）が、基準クロックｃｌｋの２倍の周期で、互いに１クロック周期ずれて出力される。輝度信号（ｙｅ，ｙｏ）は、利得γのアンプ部２１によって増幅された後、ＯＤＤ／ＥＶＥＮ合成回路２３により合成され、輝度信号（Ｙ）が基準クロックｃｌｋの周期で生成される。
【００２８】
又、赤用ＣＣＤラインセンサ５０Ｒ及び青用ＣＣＤラインセンサ５０Ｂからは解像度３００ｄｐｉの赤信号（ｒ）、青信号（ｂ）が基準クロックｃｌｋの２倍の周期で出力される。赤信号（ｒ）、青信号（ｂ）はそれぞれ利得α、βのアンプ部２０によって増幅された後、解像度変換部２２で解像度が３００ｄｐｉから６００ｄｐｉに変換され、赤信号（Ｒ）及び青信号（Ｂ）が基準クロックｃｌｋの周期で生成される。解像度変換部２２では、基準クロックｃｌｋの２倍の周期を有する１入力信号に対して、入力信号と同一値で基準クロックｃｌｋの周期を有する２信号が出力される。
【００２９】
更に、緑信号（Ｇ）は前述の（式３）に基づき、解像度６００ｄｐｉに変換された赤信号（Ｒ）及び青信号（Ｂ）を、それぞれ利得「−１」のアンプ部２４、２５で反転し、反転した信号と輝度信号（Ｙ）とを加算部２６にて加算して、以下のように生成される。
【００３０】
Ｇ＝Ｙ−Ｒ−Ｂ            （式４）
ここで、利得（係数）α、β、γは同じでも良いが、最終的に生成される赤（Ｒ）・青（Ｂ）・緑（Ｇ）のカラーバランス（ホワイトバランス）を補正するために、互いに異なる値を用いても良い。
【００３１】
このように、赤用及び青用のＣＣＤラインセンサの実際の解像度を３００ｄｐｉにすることで、赤用及び青用のＣＣＤラインセンサ１画素あたりの光量は、ＣＣＤラインセンサの受光部の全長が等しく、幅が少なくとも同一であれば，従来の解像度が６００ｄｐｉの場合より大きくなる。従って、本実施形態によるカラー画像の読取方法は、従来の解像度６００ｄｐｉのカラー読取用ＣＣＤを使用した場合より、読取り速度を向上させることが可能である。
【００３２】
次に本発明の第２の実施形態を説明する。
【００３３】
上記第１の実施形態では、赤及び青用のＣＣＤラインセンサから得られる信号の内、色差成分はもちろんであるが、輝度成分も利用している。人間の視覚特性は、輝度成分には非常に敏感であるが、色差成分に関しては輝度成分ほどには敏感ではないことが一般的に知られている。
【００３４】
本実施形態では、この人間の視覚特性を利用し、赤及び青用のＣＣＤラインセンサから得られる信号の内、輝度成分は利用せずに色差成分のみ利用する。
【００３５】
第１の実施形態では、３００ｄｐｉの赤信号（Ｒ）及び青信号（Ｂ）のそれぞれについて、単に各信号を同一値で１／２の周期を有する２信号に変換することにより、６００ｄｐｉに解像度変換している。これに対して第２の実施形態では、最終的に得られる赤信号（Ｒ）、緑信号（Ｇ）、青信号（Ｂ）それぞれの成分が、解像度６００ｄｐｉの輝度信号を基に生成される。従って、本実施形態は第１の実施形態に対して更に解像度感が増した画像を得ることが出来る。
【００３６】
図５は第２の実施形態に係る画像読取り部の概略構成図、図６はその動作を示すタイミングチャートである。ＣＣＤラインセンサ６としては、第１の実施形態と同様に赤及び青のラインセンサ、及び輝度用ラインセンサの３ラインＣＣＤラインセンサが用いられる。
【００３７】
輝度用のラインセンサ５０Ｙからは解像度６００ｄｐｉの輝度信号（ｙｅ：偶数画素，ｙｏ：奇数画素）が、基準クロックｃｌｋの２倍の周期で、互いに１クロック周期ずれて出力される。更に輝度信号（ｙｅ，ｙｏ）は、利得γのアンプ部２１によって増幅された後、ＯＤＤ／ＥＶＥＮ合成部２３により合成され、輝度信号（Ｙ）が基準クロックｃｌｋの周期で生成される。
【００３８】
生成された輝度信号（Ｙ）はＹＵＶ→ＲＧＢ変換部３７と第１の解像度変換部３３に供給される。第１の解像度変換部３３では、解像度６００ｄｐｉの輝度信号（Ｙ）を解像度３００ｄｐｉの輝度信号（Ｙ’）に変換する。
【００３９】
赤用ラインセンサＲ及び青用のラインセンサＢからは解像度３００ｄｐｉの赤信号（ｒ）及び青信号（ｂ）が基準クロックｃｌｋの２倍の周期で出力される。赤信号（ｒ）及び青信号（ｂ）は、利得α、βのアンプ部２０によってそれぞれ赤信号（Ｒ’）及び青信号（Ｂ’）に増幅された後、それぞれ利得「−１」のアンプ部３０、３１で反転される。反転された信号（−Ｒ’）、（−Ｂ’）は、前述の輝度信号（Ｙ’）と加算され、緑信号（Ｇ’）が基準クロックｃｌｋの２倍の周期で以下のように生成される。
【００４０】
Ｇ’＝Ｙ’−Ｒ’−Ｂ’          （式５）
このようにして得られた赤信号（Ｒ’）、緑信号（Ｇ’）、青信号（Ｂ’）はＲＧＢ→ＹＵＶ変換部３５に入力され、輝度成分と色差成分に分離される。
【００４１】
ＲＧＢ→ＹＵＶ変換部３５での輝度／色差分離は、一般に理論的には、以下の演算式で表すことが出来る。
【００４２】
【数１】
2005027092.tif 000003
【００４３】
ここで、色差成分の信号（Ｕ，Ｖ）は例えばＰＡＬ方式、若しくはＳＥＣＡＭ方式のＴＶ信号規格に準じた信号である。
【００４４】
ＲＧＢ→ＹＵＶ変換部３５で分離された色差成分の信号（Ｕ’）及び（Ｖ’）のみ第２の解像度変換部３６に入力され、解像度が６００ｄｐｉの色差信号（Ｕ）及び（Ｖ）に変換される。つまり、各色差信号を同一値で１／２の周期を有する２信号にそれぞれ変換することにより、６００ｄｐｉに解像度変換している。解像度変換された色差信号（Ｕ）及び（Ｖ）はＹＵＶ→ＲＧＢ変換部３７に入力される。
【００４５】
ＹＵＶ→ＲＧＢ変換部３７では、入力された輝度信号（Ｙ）及び色差信号（Ｕ，Ｖ）から、演算によって赤信号（Ｒ）、緑信号（Ｇ）、青信号（Ｂ）を基準クロックｃｌｋの周期で生成する。
【００４６】
演算式は、一般に理論的には、以下の演算式で表すことが出来る。
【００４７】
【数２】
2005027092.tif 000004
【００４８】
尚、第１及び第２の実施形態では、輝度用のＣＣＤラインセンサは、ＯＤＤ／ＥＶＥＮの２系統出力を有するラインセンサで構成しているが、ＯＤＤ／ＥＶＥＮに分離されていない１系統出力のラインセンサで構成しても構わない。
【００４９】
又、第１及び第２の実施形態では、赤及び青のＣＣＤラインセンサは、１系統出力のラインセンサで構成しているが、それぞれＯＤＤ／ＥＶＥＮに分離されている２系統出力のラインセンサで構成しても構わない。
【００５０】
更に、本実施の形態における、輝度信号（ｙｅ，ｙｏ）は、互いに１クロック周期ずれて出力される形態を例示したが、１クロック周期ずれずに同時に出力されるものであっても良い。又、上記数式に掲げた係数は、実際の装置に合わせて任意に変更を行っても良い。更に、解像度は３００ｄｐｉ、６００ｄｐｉとしたが、これに限るものではない。
【００５１】
このように本実施形態によれば、第１の実施形態と同様に、低解像度ラインセンサ２本と、高解像度ラインセンサ１本を用いてＣＣＤラインセンサが構成され、カラーモードでのカラー画像読取り時において、高解像度を有する従来のモノクロ画像専用読取り装置と同程度まで、読取り速度を向上させることが可能である。
【００５２】
又、低解像度ラインセンサ２本と、高解像度ラインセンサ１本を用いて、高解像度カラーＣＣＤラインセンサが構成されるので、安価なＣＣＤセンサを提供することが出来る。
【００５３】
次に本発明の第３の実施形態を説明する。
【００５４】
第２の実施形態では、輝度色差表色系にＹＵＶ色空間を用いているが、ＹＩＱ色空間等の別の色空間を用いても良い。第３の実施形態は、輝度色差表色系にＹＩＱ色空間を用いた例である。
【００５５】
図７は本実施形態に係る画像読取り部の概略構成図、図８はその動作を示すタイミングチャートである。
【００５６】
本実施形態は、第２の実施形態のＲＧＢ→ＹＵＶ変換部３５及びＹＵＶ→ＲＧＢ変換部３７をそれぞれ、ＲＧＢ→ＹＩＱ変換部４０及びＹＩＱ→ＲＧＢ変換部４２に読み替えることで説明出来る。従って詳細な説明は省略する。尚、色差成分の信号（Ｉ，Ｑ）は例えばＮＴＳＣ方式のＴＶ信号規格に準じた信号である。
【００５７】
ＹＩＱ・ＲＧＢ色空間相互の色空間変換は、一般に理論的には、以下の演算式で表すことが出来る。
【００５８】
【数３】
2005027092.tif 000005
【００５９】
このように本実施形態によれば、第２の実施形態と同様に、カラーモードでの高解像度カラー画像読取り時において、同様に高解像度を有する従来のモノクロ画像専用読取り装置と同程度まで、読取り速度を向上させることが可能である。又、安価な高解像度カラーＣＣＤラインセンサを提供することが出来る。
【００６０】
【発明の効果】
本発明により、読取り速度が向上され、しかも安価な高解像度読取り装置が提供される。
【図面の簡単な説明】
【図１】本発明に係るＣＣＤラインセンサ６を用いた画像読取装置１の構成を示すブロック図である。
【図２】図１に示す画像読取装置１の制御系の構成を示すブロック図である。
【図３】本発明の第１の実施形態に係る画像読取り部の概略構成図である。
【図４】図３に示す画像読取り部の動作を示すタイミングチャートである。
【図５】本発明の第２の実施形態に係る画像読取り部の概略構成図である。
【図６】図５に示す画像読取り部の動作を示すタイミングチャートである。
【図７】本発明の第３の実施形態に係る画像読取り部の概略構成図である。
【図８】図７に示す画像読取り部の動作を示すタイミングチャートである。
【図１】
2005027092.tif 000006
【図２】
2005027092.tif 000007
【図３】
2005027092.tif 000008
【図４】
2005027092.tif 000009
【図５】
2005027092.tif 000010
【図６】
2005027092.tif 000011
【図７】
2005027092.tif 000012
【図８】
2005027092.tif 000013